(57)【要約】      （修正有）【課題】ボールが引っかかる確率を下げ、スムーズな輸送を可能にするダブルプレイ用ピンボールゲーム機のボール回収・分割装置の構造を提供する。【解決手段】主に一つのボール回収構造１０及び一つのボール分割輸送構造２０で構成する。ボール回収構造に一つの歯車ターンテーブル１４を含み、ターンテーブルに中空穴を設け、ターンテーブルの底部に中空穴に相対して下方にアーチ型ボール収納槽を設け、アーチ型ボール収納槽の外側に開口を設け、ターンテーブルにボール回収カバー１６を設ける。ボール分割輸送構造は一つの輸送レーン２１を含み、ボール回収構造と枢接結合する。輸送レーンの上側にボール分割レーン２３を形成し左右両側に拡張することで、パイプ直径が輸送レーンの直径より大きくなる。分割レーンにボール分割台２４を設け、分割台の左右両サイドに分割レーンと連通する夫々一つのプランジャー２５を設ける。【選択図】図１
0003217959.tif 000002
【実用新案登録請求の範囲】
【請求項１】
一つのボール回収構造及び一つのボール分割輸送構造を含み、
ボール回収構造に含まれるのは一つの台座であり、台座の上にボール分割槽を設け、ボール分割槽の片側に一つの切欠口を設け、且つボール分割槽内の切欠口に近い片側に一つのストッパーブロックを設け、ボール分割槽に一つの歯車ターンテーブルを設け、歯車ターンテーブルに若干の中空穴を設け、歯車ターンテーブルの底部に中空穴に相対して下方に若干のアーチ型ボール収納槽を設け、アーチ型ボール収納槽の外側に開口を設け、また、該台座に駆動モーターを設け、駆動モーターに伝動歯車を枢接し、該伝動歯車は歯車ターンテーブルと噛合し、駆動モーターは伝動歯車を駆動して回転し、該伝動歯車は同時に歯車ターンテーブルを駆動して回転し、更に、該台座にボール分割槽と相対して上にボール回収カバーを設けることで、ボール分割槽、歯車ターンテーブルとボール回収カバーは、ボールを回収できるボール回収カバーを形成し、
ボール分割輸送構造は一つの輸送レーンを含み、該輸送レーンのパイプ直径は、ボールの直径とほぼ同じであり、該輸送レーンと台座は枢接して結合し、該輸送レーンの底端にボールの入口を設け、該ボールの入口はボール回収構造にあるボール分割槽に設ける切欠口と対応して設置することで、ボール分割槽にあるボールは切欠口、ボールの入口から輸送レーンに入って輸送することができ、輸送レーンの上側でボール分割レーンを形成し、ボール分割レーンのパイプ直径は左右両サイドに向かって拡張するため、輸送レーンのパイプ直径より大きくなり、ボール分割レーンにボール分割台を設け、ボール分割台の左右両サイドにそれぞれ一つのプランジャーを設け、該二つのプランジャーはボール分割レーンと連通することを特徴とするダブルプレイ用ピンボールゲーム機のボール回収・分割装置の構造。
【考案の詳細な説明】
【技術分野】
【０００１】
本考案はダブルプレイ用ピンボールゲーム機のボール回収・分割装置の構造に関し、特にボールの収容量を増やすことができ、ボールの輸送スピードを制御調整することができ、ボールが引っかかる確率を下げ、ボールをスムーズに輸送する確率を高めることのできるボール回収・分割装置の構造に関する。
【背景技術】
【０００２】
ピンボールゲーム機は操作が簡単、面白みがあり、賭け事ではなく、且つ年齢層を問わず、幅広く人気のあるものである。夜市、プレイランド、ゲームセンター、或いは百貨店など、どこででもゲーム機を設置し、プレイヤーがプレイを楽しむ。該ピンポンゲーム機は、盤面に若干の得点エリア、スリングショット、レーンを設置し、下側にゴールを設置し、ゴールの上側に一対のフリッパーを設ける。プレイヤーはフリッパーを操作することで打撃、ボールを跳ね返すことで、ボールを上向きに移動させて得点エリア、スリングショットに当てて点数を獲得する。
【０００３】
ピンボールゲーム機の面白みを更に増し、共に楽しめるよう、ダブルプレイピンボールゲーム機を開発した業者がいる。該ダブルプレイピンボールゲーム機の両サイドに、同様に得点エリア、スリングショット、レーン、ゴールとフリッパーを設け、中央にはプランジャーを設ける。ゴールに入ったボールは、プランジャーデバイスを通じて、新たにプランジャーからボールを打ち出して遊ぶことができる。上記複数のボールをプランジャーデバイスの中に準備する必要があるため、ボールが順番に排列して送り出さなかったために、ボールの輸送作業がスムーズにならず、引っかかったり、ボールを出すのを遅れたりすることが発生しやすく、よってゲームを楽しむ気持ちを白けさせることになる。また、該プランジャーデバイスはボールを収納するスペースが比較的小さいため、ボールの数量が足りず、輸送するのが遅れ、ボールを出すタイミングに影響をしやすく、ゲームがアンフェアな状態なりやすいことなどを鑑みて、更なる改善が必要であった。
【考案の概要】
【考案が解決しようとする課題】
【０００４】
前記公知構造の欠点を解決するため、本考案はボールの収容量を増やすことができ、ボールの輸送スピードを制御調整することができ、ボールが引っかかる確率を下げ、ボールをスムーズに輸送する確率を高めることのできるボール回収・分割装置の構造を提供することを主な課題とする。
【課題を解決するための手段】
【０００５】
上述の目的を解決するために、本考案はボールの回収、分割装置の構造を提供するものである。それに含まれるのは、一つのボール回収構造及び一つのボール分割輸送構造である。ボール回収構造に含まれるのは一つの台座であり、台座の上にボール分割槽を設け、ボール分割槽の片側に一つの切欠口を設け、且つボール分割槽内の切欠口に近い片側に一つのストッパーブロックを設ける。ボール分割槽に一つの歯車ターンテーブルを設け、歯車ターンテーブルに若干の中空穴を設け、歯車ターンテーブルの底部に中空穴に相対して下方に若干のアーチ型ボール収納槽を設け、アーチ型ボール収納槽の外側に開口を設ける。また、該台座に駆動モーターを設け、駆動モーターに伝動歯車を枢接する。該伝動歯車は歯車ターンテーブルと噛合し、駆動モーターは伝動歯車を駆動して回転する。該伝動歯車は同時に歯車ターンテーブルを駆動して回転する。更に、該台座にボール分割槽と相対して上にボール回収カバーを設けることで、ボール分割槽、歯車ターンテーブルとボール回収カバーは、ボールを回収できるボール回収カバーを形成する。
【０００６】
ボール分割輸送構造は一つの輸送レーンを含む。該輸送レーンのパイプ直径は、ボールの直径とほぼ同じである。該輸送レーンと台座は枢接して結合し、該輸送レーンの底端にボールの入口を設ける。該ボールの入口はボール回収構造にあるボール分割槽に設ける切欠口と対応して設置することで、ボール分割槽にあるボールは切欠口、ボールの入口から輸送レーンに入って輸送することができ、輸送レーンの上側にボール分割レーンを形成する。ボール分割レーンは左右両側に拡張することで、パイプ直径が輸送レーンのパイプ直径より大きくなる。ボール分割レーンにボール分割台を設け、ボール分割台の左右両サイドにそれぞれ一つのプランジャーを設ける。該二つのプランジャーはボール分割レーンと連通する。
【０００７】
上述の構造により、ボールの収容量を増やすことができ、ボールの輸送スピードを制御調整することができ、ボールが引っかかる確率を下げ、ボールをスムーズに輸送する確率を高めることのできるボール回収・分割装置の構造を提供する。
【考案の効果】
【０００８】
本考案の構造により、ボールの収容量を増やすことができ、ボールの輸送スピードを制御調整することができ、ボールが引っかかる確率を下げ、ボールをスムーズに輸送する確率を高めることができる。
【図面の簡単な説明】
【０００９】
【図１】本考案の立体分解図である。
【図２】本考案の歯車ターンテーブルの仰視図である。
【図３】本考案の立体組立図である。
【図４】本考案の正面図である。
【図５】本考案の俯瞰図である。
【図６】図４のＩ−Ｉの断面図である。
【図７】図５のＩＩ−ＩＩの断面図である。
【図８】本考案をピンボールゲーム機本体と結合した正面略図である。
【図９】図５のＩＩ−ＩＩの断面図、及び複数のボールを設置した略図である。
【図１０】図４のＩ−Ｉの断面図、及び歯車ターンテーブルがボールを輸送する略図(一)である。
【図１１】図４のＩ−Ｉの断面図、及び歯車ターンテーブルがボールを輸送する略図(二)である。
【図１２】図４のＩ−Ｉの断面図、及び歯車ターンテーブルがボールを輸送する略図(三)である。
【図１３】分割輸送構造の断面図、及びボールを上に輸送する略図(一)である。
【図１４】分割輸送構造の断面図、及びボールを上に輸送する略図(二)である。
【図１５】本考案が適用されるピンボールゲーム機本体の外観斜視図である。
【考案を実施するための形態】
【００１０】
以下、本考案の構造と特徴および構造を、図１から図１５に示す実施例を参照しながら詳細に説明する。
【実施例１】
【００１１】
図１に示すように、実施例にあるボールの回収、分割装置に含まれるのは、一つのボール回収構造１０及び一つのボール分割輸送構造２０である。
【００１２】
図２、図３、図４、図５、図６及び図７に示すように、ボール回収構造１０に含まれるのは一つの台座１１であり、台座１１の上にボール分割槽１２を設け、ボール分割槽１２の片側に一つの切欠口１２１を設け、且つボール分割槽１２内の切欠口１２１に近い片側に一つのストッパーブロック１３を設ける。ボール分割槽１２に一つの歯車ターンテーブル１４を設け、歯車ターンテーブル１４に若干の中空穴１４１を設け、歯車ターンテーブル１４の底部に中空穴１４１に相対して下方に若干のアーチ型ボール収納槽１４２を設け、アーチ型ボール収納槽１４２の外側に開口１４３を設ける。また、該台座１０に駆動モーター１５を設け、駆動モーター１５に伝動歯車１５１を枢接する。該伝動歯車１５１は歯車ターンテーブル１４と噛合し、駆動モーター１５は伝動歯車１５１を駆動して回転する。該伝動歯車１５１は同時に歯車ターンテーブル１４を駆動して回転する。更に、該台座１０にボール分割槽１２と相対して上にボール回収カバー１６を設けることで、ボール分割槽１２、歯車ターンテーブル１４とボール回収カバー１６は、ボールを回収できるボール回収カバー１７を形成する。
【００１３】
同時に図３、図４、図５、図６及び図７に示すように、ボール分割輸送構造２０は一つの輸送レーン２１を含む。該輸送レーン２１のパイプ直径は、ボール３０の直径とほぼ同じである。該輸送レーン２１と台座１０は枢接して結合し、該輸送レーン２１の底端にボールの入口２２を設ける。該ボールの入口２２はボール回収構造１０にあるボール分割槽１２に設ける切欠口１２１と対応して設置することで、ボール分割槽１２にあるボール３０は切欠口１２１、ボールの入口から輸送レーン２１に入って輸送することができ、輸送レーン２１の上側でボール分割レーン２３を形成する。ボール分割レーン２３のパイプ直径は左右両サイドに向かって拡張するため、輸送レーン２１のパイプ直径より大きくなる。ボール分割レーン２３にボール分割台２４を設け、ボール分割台２４の左右両サイドにそれぞれ一つのプランジャー２５を設ける。該二つのプランジャー２５はボール分割レーン２３と連通する。
【００１４】
図８、図１５に示すように、上述構造を介し、該ボール回収構造１０はダブルプレイ用ピンボールゲーム機の機械４０内に設ける。且つ該ダブルプレイ用ピンボールゲーム機の機械４０のゴール４１の下に落球レーン４２を設け、落球レーン４２の別端は、ボール回収構造１０のボール回収カバー１６の上と接続することで、ゴール４１の中に落ちたボール３０は、落球レーン４２を通って、ボール回収構造１０のボール回収カバー１７の中に落ちて、集めて収納することができる。該ボール分割輸送構造２０のボール分割台２４は、ダブルプレイ用ピンボールゲーム機の機械４０の盤面４３に設ける。図９に示すように、該ボール回収カバー１７の中に集めて収納されるボール３０は、歯車ターンテーブル１４に設ける中空穴１４１より、一つずつアーチ型ボール収納槽１４２の中に落ちる。そして、駆動モーター１５を介して伝動歯車１５１を駆動して回転し、同時に歯車ターンテーブル１４を駆動して回転する。図１０に示すように、該アーチ型ボール収納槽１４２にあるボール３０は、溝壁と抵触して回転移動する。ボール３０がボール分割槽１２に設ける切欠口１２１にまで移動する時、ストッパーブロック１３のストッパーにより、ボール３０は引き続き回転移動をしない。また、ボール３０はアーチ型ボール収納槽１４２が持続して抵触して押すために、ボール３０は開口１４３からアーチ型ボール収納槽１４２から滑り出すことができ、且つ切欠口１２１、輸送レーン２１にあるボールの入口２２から輸送レーン２１の中に入る(図１０、図１１及び図１２に示す通り)。
【００１５】
駆動モーター１５が持続して歯車ターンテーブル１４を駆動して回転することを介し、持続してボール回収カバー１７の中にあるボール３０を輸送レーン２１の中に輸送する。且つ、該輸送レーン２１にあるボール３０は押されて上に移動し、ボール３０がボール分割レーン２３にまで移動した時、ボール分割レーン２３のパイプ直径が比較的大きいため、該ボール３０は外向きに移動することで、図１３に示すように、複数のボール３０が左右交差して排列する状態を形成する。ボール３０が絶えず輸送レーン２１とボール分割レーン２３に入ることを介し、左右交差排列するボール３０が持続して上向きにボール分割台２４にまで移動する。そして順にボール分割台２４の左右両サイドにあるプランジャー２５からピンボールゲーム機の機械４０の盤面４３に打ち出することで、打ち出されたボール３０を使ってプレイヤーはゲームをすることができる(図１３、図１４に示す通り)。
【００１６】
上述で分かるように、本考案は下記のメリットを具有する。
【００１７】
(一)本考案の歯車ターンテーブル１４の上方に、ボール回収カバー１６を設置することで、ボール３０を集めることのできるボール回収カバー１７を形成し、それによりピンボールゲーム機の機械４０のゴール４１は、落球レーン４２を経て投入する複数のボール３０は、ボール回収カバー１７の中に堆積して収納することができ、ボール３０の収納数を増やすことができる。よってボール３０は定時に、一定量で打ち出すことができ、ピンボールゲームをスムーズに行い、面白みを高める共に、プレイヤーがゲームをする際に、ボールの打ち出しが遅れるという不備が発生するのを避けることができる。
【００１８】
(二)本考案の歯車ターンテーブル１４に中空穴１４１を設け、歯車ターンテーブル１４の下方に、中空穴１４１と対応してアーチ型ボール収納槽１４２を設けることで、ボール３０は順に、一つずつアーチ型ボール収納槽１４２の中に落とすことができ、且つ、各一つのアーチ型ボール収納槽１４２の中には、一つのボール３０のみを収納する。歯車ターンテーブル１４が回転する時、アーチ型ボール収納槽１４２のボール３０は順に輸送レーン２１の中に入ることができる。よって二つ(或いは以上)のボール３０が輸送レーン２１のボールの入口２２に引っかかって打ち出せないのを避けることができ、ボールが引っかかる状況が減少するため、ボール３０を更に安定してスムーズに輸送することができ、ゲームが滞りなく進められるため、プレイヤーがプレイする意欲が高まる。
【００１９】
(三)本考案の歯車ターンテーブル１４は駆動モーター１５を介して駆動するため、駆動モーター１５のスピードを制御することで、同時に歯車ターンテーブル１４の回転スピードを制御することができる。更にボールを打ち出す回数を調整、制御することができ、ピンボールゲームの面白みと挑戦性を高める。
【００２０】
(四)更に本考案のボール分割レーン２３のパイプ直径が輸送レーン２１のパイプ直径より大きいため、輸送レーン２１のボール３０がボール分割レーン２３にまで上昇する時、パイプ直径が拡大しているため、ボール３０は両サイドに変位して左右交差して排列する状態を形成する。該ボール分割レーン２３の中で交差排列する状態を呈すボール３０は、引き続き下方のボール３０に押されて絶えず上昇して移動する。ボール分割台２４にまで移動した時、ボール３０は左右交差した状態を呈すため、平均して順番に、確実にボール分割台２４の左右両サイドにあるプランジャー２５からピンボールゲーム機の機械４０の盤面４３に打ち出すことができ、よってゲームの公平性及び面白みを高めることができる。
【００２１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００２２】
１０  ボール回収構造
１１  台座
１２  ボール分割槽
１２１  切欠口
１３  ストッパーブロック
１４  歯車ターンテーブル
１４１  中空穴
１４２  アーチ型ボール収納槽
１４３  開口
１５  駆動モーター
１５１  伝動歯車
１６  ボール回収カバー
１７  ボール回収カバー
２０  ボール分割輸送構造
２１  輸送レーン
２２  ボールの入口
２３  ボール分割レーン
２４  ボール分割台
２５  プランジャー
３０  ボール
４０  ピンボールゲーム機の機械
４１  ゴール
４２  落球レーン
４３  盤面
【図１】
0003217959.tif 000003
【図２】
0003217959.tif 000004
【図３】
0003217959.tif 000005
【図４】
0003217959.tif 000006
【図５】
0003217959.tif 000007
【図６】
0003217959.tif 000008
【図７】
0003217959.tif 000009
【図８】
0003217959.tif 000010
【図９】
0003217959.tif 000011
【図１０】
0003217959.tif 000012
【図１１】
0003217959.tif 000013
【図１２】
0003217959.tif 000014
【図１３】
0003217959.tif 000015
【図１４】
0003217959.tif 000016
【図１５】
0003217959.tif 000017